(57)【要約】  画像形成装置（１）は、原稿を光学的に読み取って画像データを取得する画像読取部（１０）と、画像データ中の文字パターンを文字として認識する文字認識部（１０２）と、文字認識部（１０２）が認識できなかった文字パターンについて、文字認識部（１０２）により認識されたその前後の文字から文法的規則に則って当該文字パターンが表す文字を推測する文字推測部（１０３）と、文字認識部（１０２）により認識された各文字及び文字推測部（１０３）により推測された各文字を画像データ中の各文字パターンの配置位置と同じ順に配置して再構成画像データを生成する画像データ再構成部（１０４）とを備える。
2019021600.tif 000002
【特許請求の範囲】
【請求項１】
原稿を光学的に読み取って画像データを取得する画像読取部と、
前記画像データ中の文字パターンを文字として認識する文字認識部と、
前記文字認識部が認識できなかった文字パターンについて、前記文字認識部により認識されたその前後の文字から文法的規則に則って当該文字パターンが表す文字を推測する文字推測部と、
前記文字認識部により認識された各文字、及び前記文字推測部により推測された各文字を、前記画像データ中の各文字パターンの配置順と同じ順に配置して再構成画像データを生成する画像データ再構成部と、を備えた画像処理装置。
【請求項２】
前記文字推測部は、前記文字認識部が認識できなかった文字パターンが２つ以上連続する場合、当該各文字パターンについて母音及び子音のいずれであるかを判定し、母音及び子音とで異なる記号を用いて当該各文字パターンを表す請求項１に記載の画像処理装置。
【請求項３】
表示部と、
前記表示部に前記再構成画像データを表示させる制御部と、
前記表示部に前記再構成画像データが表示されているときに、ユーザーから前記再構成画像データに対する編集指示を受け付ける編集指示受付部と、
前記編集指示受付部が受け付けた編集指示に従って前記再構成画像データを編集する画像データ編集部と、を備えた請求項１に記載の画像処理装置。
【請求項４】
前記制御部は、前記表示部に前記画像データ又は前記再構成画像データを択一的に表示させ、
前記表示部に前記画像データが表示されているときに、ユーザーから前記再構成画像データの生成対象となる前記画像データの領域指定指示を受け付ける領域指定受付部を更に備え、
前記画像データ再構成部は、前記領域指定受付部が受け付けた領域指定指示が示す前記画像データの一部領域について、前記再構成画像データを生成する請求項３に記載の画像処理装置。
【請求項５】
前記制御部は、前記画像読取部によって前記画像データが取得されると、前記表示部に、前記画像データの文字鮮明化範囲の選択を受け付けるための画面を表示させ、
前記制御部は、前記領域指定受付部によって、前記文字鮮明化範囲として前記画像データの一部領域を選択する指示が受け付けられた場合、前記表示部に、前記領域指定指示を受け付けるために前記画像データを表示させる、請求項４に記載の画像処理装置。
【請求項６】
前記制御部は、前記領域指定受付部によって、前記文字鮮明化範囲として前記画像データの全体領域を選択する指示が受け付けられた場合、前記表示部に、前記領域指定指示を受け付けるために前記画像データを表示させない、請求項５に記載の画像処理装置。
【発明の詳細な説明】
【技術分野】
【０００１】
本発明は画像処理装置に関し、特に、不鮮明な文字が記載された原稿をスキャンして得られた原稿画像に含まれる文字を鮮明にする技術に関する。
【背景技術】
【０００２】
印刷された文字を光学的に読み取って文字コードに変換するＯＣＲ（Optical Character Recognition）技術が公知である。ＯＣＲでは、原稿の画質が悪くて読取対象の文字が薄かったりかすれていたり、あるいは文字の一部が欠けていたりすると、正しく文字認識できないという問題がある。下記特許文献１には、文書画像等における文字パターンかすれを修復し、文字認識の精度を向上させる文字パターン修復方法として、文字パターンから文字線の先端にある端点を検出し、かすれにより生じた２つの端点からなる端点対を選択し、該選択された端点対を接続して文字パターンのかすれを修復する文字パターン修復方法が記載されている。
【先行技術文献】
【特許文献】
【０００３】
【特許文献１】特開平６−５２３５６号公報
【発明の概要】
【０００４】
上記特許文献１に記載の技術の場合、読み取った画像が示す文字パターンがかすれている場合に、当該かすれを修復して文字認識の精度を向上させることが可能である。例えば、特許文献１に記載の技術では、文字パターンの濃度が薄いことを原因としてかすれが生じている場合には、原稿読取装置で原稿の読取濃度を濃くしてスキャンすることで原稿中の文字を濃くすることでかすれを修復する。しかしながら、原稿中の文字の一部が欠けている場合にはいくら読取濃度を濃くしてもかすれは修復できず文字の判別が難しい。このように、上記特許文献１に記載の技術では、かすれが修復できずに文字認識の精度が低下している場合に文字認識精度を向上させることは困難である。
【０００５】
本発明は、上記の事情に鑑みてなされたものであり、不鮮明な文字が記載された原稿をスキャンして得られた原稿画像に含まれる文字に生じたかすれを修復できない場合であっても、当該原稿画像に含まれる文字を鮮明にすることを目的とする。
【０００６】
本発明の一局面に係る画像処理装置は、原稿を光学的に読み取って画像データを取得する画像読取部と、前記画像データ中の文字パターンを文字として認識する文字認識部と、前記文字認識部が認識できなかった文字パターンについて、前記文字認識部により認識されたその前後の文字から文法的規則に則って当該文字パターンが表す文字を推測する文字推測部と、前記文字認識部により認識された各文字、及び前記文字推測部により推測された各文字を、前記画像データ中の各文字パターンの配置順と同じ順に配置して再構成画像データを生成する画像データ再構成部と、を備えたものである。
【０００７】
本発明によれば、不鮮明な文字が記載された原稿をスキャンして得られた原稿画像に含まれる文字に生じたかすれを修復できない場合であっても、当該原稿画像に含まれる文字を鮮明にすることができる。
【図面の簡単な説明】
【０００８】
【図１】本発明の一実施形態に係る画像処理装置の一例としての画像形成装置の外観を示す斜視図である。
【図２】本発明の一実施形態に係る画像処理装置の一例としての画像形成装置の内部構成を示すブロック図である。
【図３Ａ】不鮮明な文字パターンの文字認識及び文字推測の一例を説明する図である。
【図３Ｂ】不鮮明な文字パターンの文字認識及び文字推測の別例を説明する図である。
【図４Ａ】画像読取部により取得された画像データ及びその全体から生成された再構成画像データの例を示す図である。
【図４Ｂ】画像読取部により取得された画像データ及びその一部から生成された再構成画像データの例を示す図である。
【図５Ａ】本発明の一実施形態に係る画像処理装置の一例としての画像形成装置による画像データの文字鮮明化処理の流れを示すフローチャートである。
【図５Ｂ】図５Ａに続くフローチャートである。
【図６】画像データの文字鮮明化範囲を選択するための選択メニュー画面の例を示す図である。
【図７】画像データの領域指定指示中の画面表示例を示す図である。
【図８】再構成画像データの処理メニュー画面の例を示す図である。
【図９】再構成画像データのプレビュー画面の例を示す図である。
【図１０】再構成画像データの編集中の画面表示例を示す図である。
【発明を実施するための形態】
【０００９】
以下、本発明の一実施形態に係る画像処理装置の一例としての画像形成装置について図面を参照して説明する。図１は、画像形成装置の外観を示す斜視図である。図２は、画像形成装置の内部構成を示すブロック図である。
【００１０】
画像形成装置１は、ファクシミリ通信機能、コピー機能、プリンター機能、及びスキャナー機能等の複数の機能を兼ね備えた複合機である。図１に示すように、画像形成装置１は、装置本体２と、装置本体２の上方に配置された画像読取部１０と、画像読取部１０と装置本体２との間に設けられた連結部３とから概略構成される。
【００１１】
画像読取部１０は、原稿搬送部１１と、原稿搬送部１１により搬送されてくる原稿又は不図示のコンタクトガラスに載置された原稿を光学的に読み取るスキャナーとを有するＡＤＦ（Auto Document Feeder）である。画像読取部１０は、原稿を１枚ずつ読み取ることで保存又は画像形成対象となる画像データを取得する。
【００１２】
装置本体２の内部には、画像形成部２０、給紙部３０、画像メモリー４０、記憶部５０、及び通信部６０等が収容されている。
【００１３】
画像メモリー４０は、画像読取部１０によって読み取られた画像データを一時的に記憶する領域である。
【００１４】
画像形成部２０は、画像メモリー４０に記憶されている画像データを読み出し、当該データを用いて給紙部３０から供給される用紙に画像を形成（印刷）する。印刷済みの用紙は、排出トレイ４に排出される。
【００１５】
記憶部５０は、ＨＤＤ（Hard Disk Drive）等の大容量の記憶装置である。
【００１６】
通信部６０は、不図示のＬＡＮチップ等の通信モジュールを備える通信インターフェイスである。画像形成装置１は、ネットワークを介して他のＰＣ（Personal Computer）等と接続されており、通信部６０により接続されたＰＣ等との間でデータの送受信を行う。
【００１７】
装置本体２の前面側には、表示部７０及び操作部８０が配置されている。表示部７０は、液晶ディスプレイ（ＬＣＤ：Liquid Crystal Display）又は有機ＥＬ（ＯＬＥＤ：Organic Light-Emitting Diode）ディスプレイを含んで構成される。表示部７０には、画像形成装置１の動作を指示するための操作画面等が表示される。
【００１８】
操作部８０は、例えば、印刷ジョブ等の実行を指示するためのスタートキー、操作画面を構成するＧＵＩ（Graphical User Interface）に対して確定操作を行う決定キー（エンターキー）、数値入力を行うための数値入力キー等を備え、例えば表示部７０に表示される画面に対する操作をユーザーから受け付ける。
【００１９】
画像形成装置１は、更に、制御ユニット１００を備えている。制御ユニット１００は、プロセッサー、ＲＡＭ(Random Access Memory)、ＲＯＭ(Read Only Memory) 及び専用のハードウェア回路等から構成される。プロセッサーは、例えば、ＣＰＵ(Central Processing Unit)、ＭＰＵ(Micro Processing Unit)、又はＡＳＩＣ(Application Specific Integrated Circuit)等である。制御ユニット１００は、上記のＲＯＭ又は記憶部５０に記憶された原稿読取処理プログラム等の制御プログラムが上記のプロセッサーに実行されることにより、制御部１０１、文字認識部１０２、文字推測部１０３、画像データ再構成部１０４、領域指定受付部１０５、編集指示受付部１０６、及び画像データ編集部１０７として機能する。なお、制御ユニット１００の上記の各構成は、前述の原稿読取処理プログラムに基づく動作によらず、それぞれハード回路により構成されてもよい。
【００２０】
制御部１０１は、画像形成装置１の全体的な動作制御を司る。制御部１０１は、画像読取部１０、画像形成部２０、給紙部３０、画像メモリー４０、記憶部５０、通信部６０、表示部７０、及び操作部８０等と接続されており、接続されている上記各機構の動作制御及び、各機構との間での信号又はデータの送受信を行う。
【００２１】
制御部１０１は、例えば、表示部７０の制御に関して、操作部８０を通じてユーザーから受け付けた指示に従って、画像読取部１０により取得された画像データ、又は画像データ再構成部１０４により生成された再構成画像データを択一的に表示部７０に表示させる。
【００２２】
文字認識部１０２は、ＯＣＲ（Optical Character Recognition）技術を用いて、画像読取部１０により取得された画像データ中に含まれる各文字を示す画像、すなわち文字パターンを、文字（キャラクター）として認識する。文字認識部１０２が認識する文字は、例えば、英文字、数字、記号、漢字、ひらがな、かたかな、等である。なお、文字認識部１０２は、文字パターンの濃度が多少薄くても、あるいは文字パターンの一部に欠損があっても（かすれが生じていても）、文字パターンの特徴を捉えて文字として認識する。
【００２３】
ただし、文字パターンの濃度が極端に薄い、あるいは文字パターンの欠損（かすれ）部分が多いといった場合には、文字認識部１０２は、当該文字パターンが表す文字を認識できない場合がある。文字推測部１０３は、文字認識部１０２が認識できなかった文字パターンについて、文字認識部１０２により認識されたその前後の文字から文法的規則に則って、当該文字パターンが表す文字の候補を判定する。すなわち、文字推測部１０３は、認識不可の文字パターンについて、文字認識部１０２により認識されたその前後の文字から、当該文字パターンが表す文字を推測する。
【００２４】
図３Ａは、不鮮明な文字パターンの文字認識及び文字推測の一例を説明する図である。例えば、ある原稿をスキャンして得られた画像データにおいて、ある文字パターン群ｍｊ１が不鮮明であったとする。そして、文字認識部１０２は、これら文字パターン群ｍｊ１から「ｑ」「ｕ」「ｃ」「ｋ」の文字を認識でき、他の文字については文字認識できなかったとする（文字パターンの存在は認識したが、文字までは認識できない）。この場合、文字推測部１０３は、文字認識部１０２が文字認識できなかった未知の文字の前において文字「ｑ」「ｕ」が認識され、後において文字「ｃ」「ｋ」が文字認識部１０２により認識されているとすると、文法的規則に則って、先頭２文字が「ｑ」「ｕ」であり、末尾２文字が「ｃ」「ｋ」である英単語「ｑｕｉｃｋ」及び「ｑｕａｃｋ」を、文字パターン群ｍｊ１が示す文字として抽出し、上記未知の文字としての候補が「ｉ」又は「ａ」であると判定する。
【００２５】
また、文字推測部１０３は、文字認識部１０２により認識できない文字パターンが２つ以上連続する場合には、当該各文字パターンについて母音及び子音のいずれであるかを判定し、母音及び子音にそれぞれ異なる記号を用いて、認識できない文字パターンを表す。図３Ｂは、この場合における不鮮明な文字パターンの文字認識及び文字推測の例を説明する図である。例えば、ある原稿をスキャンして得られた画像データにおいて、ある文字パターン群ｍｊ２が不鮮明であったとする。そして、文字認識部１０２は、これら不鮮明な文字パターンから「ｑ」「ｕ」「ｋ」については文字認識でき、他の文字パターンについては文字認識できなかったとする（文字パターンの存在は認識したが、文字までは認識できない）。この場合、文字推測部１０３は、文字認識部１０２が文字認識できなかった未知の２文字の前において文字「ｑ」が文字認識部１０２により認識され、後において文字「ｃ」「ｋ」が認識されていることから、文法的規則に則って、文字認識できなかった未知の２文字の前に文字「ｑ」があり、後ろにおいて文字「ｃ」「ｋ」があるという条件を満たす単語として「ｑｕｉｃｋ」及び「ｑｕａｃｋ」を抽出し、ここから、文字認識できなかった未知の２文字の候補として「ｉｃ」及び「ａｃ」を更に抽出する。そして、文字推測部１０３は、当該「ｉｃ」については「ｉ」が母音、「ｃ」が子音であると判定し、当該「ａｃ」については、「ａ」が母音、「ｃ」が子音であると判定する。そして、文字推測部１０３は、母音を「＊」で、子音を「＃」でそれぞれ表す。このため、画像データ再構成部１０４により、文字パターン群ｍｊ２は「ｑｕ＊＃ｋ」として表される。なお、文字推測部１０３による母音及び子音の上記判定は一例である。
【００２６】
画像データ再構成部１０４は、文字認識部１０２により認識された各文字、及び文字推測部１０３により推測された各文字を、画像読取部１０により取得された画像データ中の各文字パターンの配置順と同じ順に配置して再構成画像データを生成する。画像データ再構成部１０４は、例えば、当該再構成画像データを、キャラクターコードとｊｐｅｇ等の画像データの両方により生成する。
【００２７】
図４Ａは、画像読取部１０により取得された画像データ及びその全体から生成された再構成画像データの例を示す図である。画像読取部１０により取得された画像データ中の各文字パターンが図４Ａに文字パターン群ｍｊ３として示すように不鮮明であったとしても、文字認識部１０２及び文字推測部１０３により各文字パターンを表す文字が認識及び推測されると、図４Ａに再構成画像データｍｊ４として示すように、画像データ再構成部１０４により、不鮮明な画像データが鮮明な再構成画像データに作り替えられる。制御部１０１は、生成された再構成画像データを記憶部５０に保存させ、必要に応じて記憶部５０から読み出して画像形成部２０に印刷させる。
【００２８】
領域指定受付部１０５は、表示部７０に画像読取部１０により取得された画像データが表示されているときに、ユーザーから、上記認識、推測、及び、再構成画像データの生成の処理の対象とする画像データの領域指定指示を受け付ける。領域指定受付部１０５が領域指定を受け付けた場合、画像データにおいて当該指定された領域に対して、文字認識部１０２及び文字推測部１０３が認識及び推測を行い、この認識及び推測に基づいて、画像データ再構成部１０４が再構成画像データを生成する。例えば、表示部７０には、タッチパネル（操作部８０として機能）が備えられ、ユーザーが表示部７０の表示画面上における、画像読取部１０により取得された画像データ表示部分で、表示画面に指をタッチさせたままスライドさせて直線ＴＳに沿ってスライド操作を行うと、タッチパネルが当該スライド操作による軌跡を示す情報を領域指定受付部１０５に送り、当該直線ＴＳを対角線とする領域Ｒが、領域指定受付部１０５により、上記認識、推測、及び、再構成画像データの生成の処理対象となる領域として受け付けられる。
【００２９】
図４Ｂは、画像読取部１０により取得された画像データ及びその一部から生成された再構成画像データの例を示す図である。画像読取部１０により取得された画像データにおいて、上記のようにしてユーザーにより領域が指定されると、文字認識部１０２及び文字推測部１０３は、当該指定された領域内に存在する各文字パターンについて文字認識及び文字推測を行い、画像データ再構成部１０４は、文字認識部１０２及び文字推測部１０３により認識及び推測された文字を並べて、当該指定された領域に存在する各文字パターンにより構成される再構成画像データを生成する。
【００３０】
編集指示受付部１０６は、表示部７０に画像データ再構成部１０４により生成された再構成画像データが表示されているときに、ユーザーから再構成画像データに対する編集指示を受け付ける。
【００３１】
文字認識部１０２により認識された文字及び／又は文字推測部１０３により推測された文字が誤っている場合、あるいは文字認識部１０２により認識できなかった文字パターンが２つ以上連続して文字推測部１０３により推測された文字が記号で表されている場合、ユーザーは再構成画像データを修正したい場合がある。編集指示受付部１０６は、ユーザーから再構成画像データに対する編集指示を受け付ける。具体的には、制御部１０１が、編集対象とする再構成画像データ及びソフトキーボードを表示部７０に表示させ、編集指示受付部１０６は、再構成画像データにおける編集対象とする文字パターン部分へのユーザーによるタッチ操作に基づいて、上記タッチパネルにより、編集対象とする文字パターンを指定する編集対象指定指示を編集指示として受け付ける。更に、編集指示受付部１０６は、ユーザーによるソフトキーボードへのタッチ操作に基づいて、編集対象とする文字パターンに代えて用いる文字を指定する入替文字指定指示を、更なる編集指示として、上記タッチパネルにより受け付ける。
【００３２】
画像データ編集部１０７は、編集指示受付部１０６が受け付けた上記各編集指示に従って再構成画像データを編集する。例えば、画像データ編集部１０７は、上記編集対象指定指示により示される文字パターンに対応する上記キャラクターコードを、上記入替文字指定指示により示される文字を示すキャラクターコードに入れ替える編集処理を行う。画像データ再構成部１０４は、画像データ編集部１０７による当該編集処理後の内容で、再構成画像データを生成する。画像データ再構成部１０４は、当該編集処理後の内容で、ｊｐｅｇ等の画像データを再度生成する。
【００３３】
次に、画像読取部１０により取得された画像データから文字を鮮明にした再構成画像データを生成する処理について説明する。図５Ａ及び図５Ｂは、画像形成装置１による画像データの文字鮮明化処理の流れを示すフローチャートである。
【００３４】
まず、画像読取部１０が、原稿を光学的に読み取って画像データを取得する（Ｓ１）。原稿の画像データが取得されると、制御部１０１が、表示部７０に、画像データの文字鮮明化範囲の選択を受け付けるための選択メニュー画面Ｄ１を表示させる（Ｓ２）。
【００３５】
図６は、画像データの文字鮮明化範囲を選択するための選択メニュー画面の例を示す図である。例えば、図６に例を示すように、制御部１０１は、選択メニュー画面Ｄ１において、文字鮮明化範囲として画像データの全体を選択する指示を受け付けるためのドキュメント単位ボタン７１と、画像データの一部領域を選択する指示を受け付けるための領域単位ボタン７２とを表示させる。ユーザーがドキュメント単位ボタン７１をタッチ操作すると、上記タッチパネルにより、文字鮮明化範囲として画像データの全体を選択する指示が領域指定受付部１０５に受け付けられる。ユーザーが領域単位ボタン７２をタッチ操作すると、上記タッチパネルにより、文字鮮明化範囲として画像データの一部領域を選択する指示が領域指定受付部１０５に受け付けられる。
【００３６】
ここで、領域指定受付部１０５に、文字鮮明化範囲として画像データの全体を選択する指示が受け付けられると（Ｓ３でＹＥＳ）、画像データの全体が文字鮮明化（上記認識、推測、及び、再構成画像データの生成の処理）の対象とされる。
【００３７】
一方、領域指定受付部１０５に、文字鮮明化範囲として画像データの一部領域を選択する指示が受け付けられた場合（Ｓ３でＮＯ）、制御部１０１は、表示部７０に、Ｓ１で取得された画像データを示す表示画面Ｄ２を表示させる（Ｓ５）。この状態で、領域指定受付部１０５が、ユーザーによる表示部７０の表示画面上における上記スライド操作に基づいて、タッチパネルを介して、上記認識、推測、及び画像データ再構成の処理対象とする領域を受け付ける（Ｓ６）。
【００３８】
図７は、画像データの領域指定指示中の画面表示例を示す図である。例えば、図７に示すように、制御部１０１が、表示部７０に、Ｓ１で取得された画像データを表示させている状態で、ユーザーが表示部７０の表示画面上で指をタッチさせたままスライドさせて直線ＴＳに沿ってスライド操作を行うと、タッチパネルが当該スライド操作による軌跡を示す情報を領域指定受付部１０５に送り、当該直線ＴＳを対角線とする領域Ｒが、文字鮮明化範囲７３として、領域指定受付部１０５により受け付けられる。
【００３９】
このようにして、Ｓ１で取得された画像データにおける文字鮮明化範囲がＳ３又はＳ６で受け付けられると、当該受け付けられた範囲において、文字認識部１０２が、画像データ中の文字パターンを文字として認識し、文字推測部１０３が、文字認識部１０２により認識できなかった文字パターンが表す文字を推測する（Ｓ８）。そして、画像データ再構成部１０４が、文字認識部１０２により認識された各文字及び文字推測部１０３により推測された各文字を、画像読取部１０により取得された画像データ中の各文字パターンの配置順と同じ順に配置して再構成画像データを生成する（Ｓ９）。
【００４０】
上記のように再構成画像データが生成されると、制御部１０１は、表示部７０に、再構成画像データの処理メニューを示す処理メニュー画面Ｄ３（図８）を表示させる（Ｓ１０）。図８は、再構成画像データの処理メニュー画面Ｄ３の例を示す図である。例えば、図８に示すように、制御部１０１は、表示部７０に、再構成画像データをプレビューさせるプレビュー指示を受け付けるためのプレビューボタン７４と、再構成画像データを印刷する印刷指示を受け付けるための印刷ボタン７５が表示される。ユーザーは、プレビューボタン７４又は印刷ボタン７５をタッチ操作することで、再構成画像データのプレビュー又は印刷を行うことができる。
【００４１】
ユーザーによる印刷ボタン７５の操作で、タッチパネルを介して、制御部１０１に印刷指示が受け付けられると（Ｓ１１でＹＥＳ）、制御部１０１は、画像形成部２０に、Ｓ９で生成された再構成画像データの印刷を行わせる（Ｓ１２）。一方、ユーザーによるプレビューボタン７４の操作で、タッチパネルを介して、制御部１０１にプレビュー指示が受け付けられると（Ｓ１１でＮＯ、Ｓ１３でＹＥＳ）、制御部１０１は、表示部７０に、Ｓ９で生成された再構成画像データを表示させる（Ｓ１４）。
【００４２】
図９は、再構成画像データのプレビュー画面Ｄ５の例を示す図である。例えば、制御部１０１は、図９に示すように、再構成画像データのプレビュー画面Ｄ５において、再構成画像データを編集する編集指示を受け付けるための編集指示ボタン７６を表示させる。ユーザーが編集指示ボタン７６をタッチ操作すると、タッチパネルを介して、編集指示受付部１０６に、編集開始指示が受け付けられる。
【００４３】
このように再構成画像データの編集開始指示が受け付けられると（Ｓ１５でＹＥＳ）、図１０に例を示すように、編集指示受付部１０６が、表示部７０に、ソフトキーボード７８を有する編集指示受付画面Ｄ６を表示させ、再構成画像データの編集指示を受け付け可能な状態とする。画像データ編集部１０７は、この状態において編集指示受付部１０６が受け付けた編集指示に従って、再構成画像データを編集する（Ｓ１６）。
【００４４】
以上のように、本実施形態によれば、不鮮明な文字を含む原稿をスキャンし、読み取った文字の画像に生じたかすれを修復できない場合であっても、上述した上記認識、推測、及び、再構成画像データの生成の処理により、当該読取で得た原稿画像に含まれる文字を鮮明にすることができる。また、本実施形態によれば、文字を鮮明化する範囲をユーザーが自由に選択することができる。さらに、ユーザーは、文字を鮮明化して得られた再構成画像データを自由に編集することも可能である。
【００４５】
<その他の変形例>
【００４６】
上記の実施の形態では、画像処理装置の一例として画像形成装置を示したが，本発明は必ずしもこの場合に限定されない。本発明の一実施形態に係る画像処理装置は、画像形成装置の他、例えば、スキャナー装置又はファクシミリ機であってもよい。
【００４７】
また、上記の実施の形態で説明した原稿読取処理プログラムをコンピューター読み取り可能な非一時的な記録媒体、例えば、ハードディスク、CD-ROM、DVD-ROM、半導体メモリー等に記録されたものとしてもよい。この場合、当該原稿読取処理プログラムを記録したコンピューター読み取り可能な非一時的な記録媒体が、本発明の一実施形態となる。
【図１】
2019021600.tif 000003
【図２】
2019021600.tif 000004
【図３Ａ】
2019021600.tif 000005
【図３Ｂ】
2019021600.tif 000006
【図４Ａ】
2019021600.tif 000007
【図４Ｂ】
2019021600.tif 000008
【図５Ａ】
2019021600.tif 000009
【図５Ｂ】
2019021600.tif 000010
【図６】
2019021600.tif 000011
【図７】
2019021600.tif 000012
【図８】
2019021600.tif 000013
【図９】
2019021600.tif 000014
【図１０】
2019021600.tif 000015
【国際調査報告】
2019021600.tif 000016
2019021600.tif 000017
2019021600.tif 000018
2019021600.tif 000019